【手続補正書】
【提出日】平成24年1月20日(2012.1.20)
【手続補正１】
【補正対象書類名】明細書
【補正対象項目名】００１０
【補正方法】変更
【補正の内容】
【００１０】
即ち、着目フレームのオーディオデータの再生ボリューム値を取得する取得手段と、
前記着目フレームのオーディオデータ中のデータ値に対して前記再生ボリューム値を乗算することで乗算後オーディオデータを生成する手段と、
前記着目フレームのオーディオデータと、前記乗算後オーディオデータと、を前記着目フレームにおける送信データとして送信する送信手段と
を備えることを特徴とする。
【手続補正２】
【補正対象書類名】明細書
【補正対象項目名】００１２
【補正方法】変更
【補正の内容】
【００１２】
即ち、上記送信装置から送信された送信データを受信可能な受信装置であって、
前記送信手段が送信したフレーム毎の送信データを受信する受信手段と、
前記受信手段が受信した着目フレームにおける送信データ中の乗算後オーディオデータを、当該着目フレームにおける送信データ中のオーディオデータ中のデータ値で除算することで再生ボリューム値を求める演算手段と、
前記演算手段が求めた再生ボリューム値を、前記着目フレームにおける送信データ中のオーディオデータ中のデータ値に乗算することで、前記着目フレームにおける再生用のオーディオデータを生成する手段と、
前記再生用のオーディオデータに基づいて前記着目フレームを再生する手段と
を備えることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
着目フレームのオーディオデータの再生ボリューム値を取得する取得手段と、
前記着目フレームのオーディオデータ中のデータ値に対して前記再生ボリューム値を乗算することで乗算後オーディオデータを生成する手段と、
前記着目フレームのオーディオデータと、前記乗算後オーディオデータと、を前記着目フレームにおける送信データとして送信する送信手段と
を備えることを特徴とする送信装置。
【請求項２】
前記取得手段は、ユーザが操作するリモートコントローラにおいて設定された前記再生ボリューム値を、当該リモートコントローラから受信することで前記再生ボリューム値を取得することを特徴とする請求項１に記載の送信装置。
【請求項３】
請求項１又は２に記載の送信装置から送信された送信データを受信可能な受信装置であって、
前記送信手段が送信したフレーム毎の送信データを受信する受信手段と、
前記受信手段が受信した着目フレームにおける送信データ中の乗算後オーディオデータを、当該着目フレームにおける送信データ中のオーディオデータ中のデータ値で除算することで再生ボリューム値を求める演算手段と、
前記演算手段が求めた再生ボリューム値を、前記着目フレームにおける送信データ中のオーディオデータ中のデータ値に乗算することで、前記着目フレームにおける再生用のオーディオデータを生成する手段と、
前記再生用のオーディオデータに基づいて前記着目フレームを再生する手段と
を備えることを特徴とする受信装置。
【請求項４】
着目フレームのオーディオデータの再生ボリューム値を取得する取得手段と、
前記着目フレームのオーディオデータと、前記再生ボリューム値と、を前記着目フレームにおける送信データとして送信する送信手段と
を備えることを特徴とする送信装置。
【請求項５】
請求項４に記載の送信装置から送信された送信データを受信可能な受信装置であって、
前記送信手段が送信したフレーム毎の送信データを受信する受信手段と、
前記受信手段が受信した着目フレームにおける送信データ中の再生ボリューム値に基づいて、前記着目フレームにおける送信データ中のオーディオデータ中のデータ値を更新することで、前記着目フレームにおける再生用のオーディオデータを生成する生成手段と、
前記再生用のオーディオデータに基づいて前記着目フレームを再生する手段と
を備えることを特徴とする受信装置。
【請求項６】
前記生成手段は、前記受信手段が受信した着目フレームにおける送信データ中の再生ボリューム値を、前記着目フレームにおける送信データ中のオーディオデータ中のデータ値に乗算することで、前記着目フレームにおける再生用のオーディオデータを生成することを特徴とする請求項５に記載の受信装置。
【請求項７】
前記生成手段は、前記受信手段が過去に複数フレームに渡って受信したそれぞれの再生ボリューム値に基づいて算出される再生ボリューム値を、前記着目フレームにおける送信データ中のオーディオデータ中のデータ値に乗算することで、前記着目フレームにおける再生用のオーディオデータを生成することを特徴とする請求項５に記載の受信装置。
【請求項８】
送信装置が行う送信方法であって、
前記送信装置の取得手段が、着目フレームのオーディオデータの再生ボリューム値を取得する取得工程と、
前記送信装置の生成手段が、前記着目フレームのオーディオデータ中のデータ値に対して前記再生ボリューム値を乗算することで乗算後オーディオデータを生成する工程と、
前記送信装置の送信手段が、前記着目フレームのオーディオデータと、前記乗算後オーディオデータと、を前記着目フレームにおける送信データとして送信する送信工程と
を備えることを特徴とする送信方法。
【請求項９】
請求項１又は２に記載の送信装置から送信された送信データを受信可能な受信装置が行う受信方法であって、
前記受信装置の受信手段が、前記送信手段が送信したフレーム毎の送信データを受信する受信工程と、
前記受信装置の演算手段が、前記受信工程で受信した着目フレームにおける送信データ中の乗算後オーディオデータを、当該着目フレームにおける送信データ中のオーディオデータ中のデータ値で除算することで再生ボリューム値を求める演算工程と、
前記受信装置の生成手段が、前記演算工程で求めた再生ボリューム値を、前記着目フレームにおける送信データ中のオーディオデータ中のデータ値に乗算することで、前記着目フレームにおける再生用のオーディオデータを生成する工程と、
前記受信装置の再生手段が、前記再生用のオーディオデータに基づいて前記着目フレームを再生する工程と
を備えることを特徴とする受信方法。
【請求項１０】
送信装置が行う送信方法であって、
前記送信装置の取得手段が、着目フレームのオーディオデータの再生ボリューム値を取得する取得工程と、
前記送信装置の送信手段が、前記着目フレームのオーディオデータと、前記再生ボリューム値と、を前記着目フレームにおける送信データとして送信する送信工程と
を備えることを特徴とする送信方法。
【請求項１１】
請求項４に記載の送信装置から送信された送信データを受信可能な受信装置が行う受信方法であって、
前記受信装置の受信手段が、前記送信手段が送信したフレーム毎の送信データを受信する受信工程と、
前記受信装置の生成手段が、前記受信工程で受信した着目フレームにおける送信データ中の再生ボリューム値に基づいて、前記着目フレームにおける送信データ中のオーディオデータ中のデータ値を更新することで、前記着目フレームにおける再生用のオーディオデータを生成する生成工程と、
前記受信装置の再生手段が、前記再生用のオーディオデータに基づいて前記着目フレームを再生する工程と
を備えることを特徴とする受信方法。